(57)【要約】【課題】液晶モジュールのコストダウンを図れるパネルガイド等を提供する。【解決手段】液晶表示パネル１３１の外縁に接触することで、その液晶表示パネル１３１の面内方向の移動を制止する突起片２３を含む突起体２１が、パネルガイドＰＧの本体１１に対して脱着可能になっている。【選択図】図１
2009031480.tif 000002
【特許請求の範囲】
【請求項１】
液晶表示パネルを支持するパネルガイドにあって、
上記液晶表示パネルの外縁に接触することで、その液晶表示パネルの面内方向の移動を制止する突起片を含む突起体が、パネルガイド本体に対して脱着可能になっているパネルガイド。
【請求項２】
上記パネルガイド本体には、液晶表示パネルを支持する支持面から窪む主開孔部、および、その主開孔部の底面から上記支持面の裏面まで貫く副開孔部を含む開孔が形成されており、
上記突起体は、上記副開孔部に嵌ることで係止可能な係止片、および、その係止片につながり主開孔部に嵌る主片を含む請求項１に記載のパネルガイド。
【請求項３】
上記突起片は線状であり、
上記係止片は、突起片の線状方向と同方向に延びる線状かつ板状である請求項２に記載のパネルガイド。
【請求項４】
上記突起体の主片から突き出る係止片は、弾性を有するとともに、先端に上記副開孔部の縁に引っかかる引っかかり端を含んでいる請求項２または３に記載のパネルガイド。
【請求項５】
上記副開孔部には、上記係止片をスライドさせるスリットが含まれている請求項４に記載のパネルガイド。
【請求項６】
請求項１〜５のいずれか１項に記載のパネルガイドを含む液晶モジュール。
【発明の詳細な説明】
【技術分野】
【０００１】
本発明は、液晶モジュールに含まれる液晶表示パネルを挟持するパネルガイド等に関するものである。
【背景技術】
【０００２】
従来から液晶テレビ等の液晶モジュールのコスト削減は重要な問題である。そこで、最近では各種の工夫が施されている。例えば、その工夫の一例として、特許文献１に示すように、液晶モジュールに含まれる各種部材の製造に要する金型のコストダウンが挙げられる。
【０００３】
この特許文献１では、液晶表示装置のサイドライトと液晶表示パネルとを支持固定するベゼルを分割可能な構成にすることで、金型サイズを小型にし、コストダウンを図っている。
【０００４】
【特許文献１】特開平１１−１３３４１８号公報
【発明の開示】
【発明が解決しようとする課題】
【０００５】
ところで、液晶表示パネルを支持するベゼル、いわゆるパネルガイドには、種々のタイプが存在する。例えば特許文献１のベゼルのように、液晶表示パネルの表裏面を挟持することで支持を実現するタイプや、図１０に示すように、液晶表示パネル１３１の外縁における対向部分に接触することで支持を実現するタイプである（なお、液晶表示パネル１３１の外縁における対向部分に接触するのは突起片１２３である）。
【０００６】
なお、図１０に示すパネルガイドｐｇは分割可能であり、各部分（第１パネルガイド部ｐｇ１・第２パネルガイド部ｐｇ２）が組み合うことで完成したパネルガイドｐｇを示している。そして、液晶表示パネル１３１は、かかるパネルガイドｐｇの枠全体よりも小さくなっている。すなわち、液晶表示パネル１３１はパネルガイドｐｇの枠に重畳可能なサイズになっている。しかし、液晶表示パネル１３１の種類によって、突起片１２３の位置が変わり得る。
【０００７】
すると、突起片１２３を含むパネルガイドｐｇの第１パネルガイド部ｐｇ１に対応する金型は設計変更を余儀なくされる。したがって、分割可能なパネルガイドｐｇであっても、十分に金型のコストダウンを図れているとはいいがたい。
【０００８】
本発明は、上記の状況を鑑みてなされたものである。そして、本発明の目的は、より液晶モジュールのコストダウンを図れるパネルガイド等を提供することにある。
【課題を解決するための手段】
【０００９】
本発明は、液晶表示パネルを支持するパネルガイドである。そして、このパネルガイドでは、液晶表示パネルの外縁に接触することで、その液晶表示パネルの面内方向の移動を制止する突起片を含む突起体が、パネルガイド本体に対して脱着可能になっている。
【００１０】
なお、パネルガイド本体に対して脱着可能な突起体の構造を種々考えられる。例えば、パネルガイド本体に形成される開孔に、突起体が嵌るような構造が挙げられる。詳説すると、パネルガイド本体には、液晶表示パネルを支持する支持面から窪む主開孔部、および、その主開孔部の底面から支持面の裏面まで貫く副開孔部を含む開孔が形成されており、突起体は、副開孔部に嵌ることで係止可能な係止片、および、その係止片につながり主開孔部に嵌る主片を含むものが挙げられる。
【００１１】
また、突起片および係止片の形状は特に限定されるものではない。例えば、突起片は線状であり、係止片は、突起片の線状方向と同方向に延びる線状かつ板状であってもよい。
【００１２】
また、突起体の主片から突き出る係止片は、弾性を有するとともに、先端に副開孔部の縁に引っかかる引っかかり端を含んでいると望ましい。
【００１３】
また、副開孔部には、係止片をスライドさせるスリットが含まれていると望ましい。
【００１４】
なお、以上のようなパネルガイド含む液晶モジュールも本発明といえる。
【発明の効果】
【００１５】
本発明のように、液晶表示パネルの外縁に接触可能な突起体が、パネルガイドの本体から、脱着可能になっていると、パネルガイドの本体の汎用性が高まる。
【発明を実施するための最良の形態】
【００１６】
［実施の形態１］
実施の一形態について、図面に基づいて説明すれば、以下の通りである。なお、便宜上、部材符号、ハッチング等を省略する場合もあるが、かかる場合、他の図面を参照するものとする。また、図面によっては、断面図ではないが、便宜上、ハッチングを施す場合もある。
【００１７】
図８は、液晶表示パネル３１と、それを支持するパネルガイドＰＧとを示す。なお、液晶表示パネル３１は、不図示の照明装置（バックライトユニット）からの光を、液晶を介して出射させることで、表示機能を発揮する。
【００１８】
また、パネルガイドＰＧは、液晶テレビ等の液晶モジュールに、液晶表示パネル３１を搭載する場合に使用される部材である。具体的には、パネルガイドＰＧは、液晶表示パネル３１を支えている。
【００１９】
パネルガイドＰＧは、液晶表示パネル３１の外縁を支える支持面ＳＳを含む枠状部材である。そして、このパネルガイドＰＧは、図９に示すように、４分割可能な機構になっている。４分割されるパネルガイドＰＧでは、隅および短手に相当する一片を第１パネルガイド部ＰＧ１・ＰＧ１、長手の一部に相当する第２パネルガイド部ＰＧ２・ＰＧ２と称される。
【００２０】
そして、図１の斜視図は第１パネルガイド部ＰＧ１を示し、図２の斜視図は第２パネルガイド部ＰＧ２を示す。なお、図３は図１のＡ−Ａ’線矢視断面図であり、図４は図１に示される第１パネルガイド部ＰＧ１おける支持面ＳＳを平面視した場合の平面図である（図１の白色矢印方向参照）。
【００２１】
図１・図３に示すように、第１パネルガイド部ＰＧ１は、本体１１と、突起体２１とを含む。具体的には、本体１１は、支持面ＳＳを備える支持板１２と、その支持板１２から垂れ下がる垂下板１３とを含む。突起体２１は、主片２２、突起片２３、および係止片２４を含む。
【００２２】
一方、図２に示すように、第２パネルガイド部ＰＧ２は、本体１１のみ、すなわち、支持面ＳＳを備える支持板１２と、その支持板１２から垂れ下がる垂下板１３とを含む。
【００２３】
第１パネルガイド部ＰＧ１および第２パネルガイド部ＰＧ２における本体１１の支持板１２は、液晶表示パネル３１の外縁の一部を支える支持面ＳＳを備える板状部材であり、第１パネルガイド部ＰＧ１の場合は括弧状（ ] ）であり、第２パネルガイド部ＰＧ２の場合にはＩ字状（線状）である。
【００２４】
垂下板１３は、支持板１２の一面（支持面ＳＳの裏側面）から垂れ下がる板状部材である。具体的には、パネルガイドＰＧとしての外縁側に位置する各支持板１２の一端から垂れ下がることで、各垂下板１３は、支持板１２と同形状になっている。すなわち、第１パネルガイド部ＰＧ１における垂下板１３は、支持板１２同様に括弧状（ ] ）になり、第２パネルガイド部ＰＧ２における垂下板１３は、支持板１２同様にＩ字状になる。
【００２５】
図５の斜視図に示される突起体２１は、支持板１２に形成されている開孔１５（図３参照）に収容される部材であり、主片２２、突起片２３、および係止片２４を含む。なお、支持板１２に形成される開孔１５は、図３および図４に示すように、主開孔部１５Ｍおよび副開孔部１５Ｓを含む（参照；一点鎖線＝主開孔部１５Ｍ、二点鎖線＝副開孔部１５Ｓ）。
【００２６】
また、突起体２１の嵌る開孔１５は、図８では、第１パネルガイド部ＰＧ１にしか形成されていないが、これに限定されるものではない。すなわち、第２パネルガイド部ＰＧ２に、開孔１５が形成されていてもよい。また、開孔１５の個数も限定されるものではない。
【００２７】
主片２２は、突起体２１の本体部分（ブロック部材）であり、主開孔部１５Ｍに収まるサイズである。そのため、主開孔部１５Ｍが例えば直方体の場合、その深さＴ１・幅Ｕ１・奥行きＶ１（図３および図４参照）と同程度の高さＴ２・幅Ｕ２・奥行きＶ２（図５参照）を有する直方体状の主片２２となる。また、主開孔部１５Ｍの底面１５Ｍａに対向する主片２２の一面を底面２２ａとし、その底面２２ａに対向する主片２２の一面を天面２２ｂとすると、その天面２２ｂは、支持面ＳＳと同一面（面一）になる。
【００２８】
突起片２３は、主片２２の天面２２ｂから隆起した線状部材であり、天面２２ｂと面一の支持面ＳＳに位置する液晶表示パネル３１に接触可能になっている。したがって、突起片２３は、液晶表示パネル３１に接触することで、その液晶表示パネル３１の面内方向の移動を制止できる。
【００２９】
係止片２４は、主片２２の底面２２ａから突出し、副開孔部１５Ｓに嵌るサイズになっている。そのため、副開孔部１５Ｓが例えば直方体の場合、その深さＴ３・幅Ｕ３・奥行きＶ３（図３および図４参照）と同程度の高さＴ４・幅Ｕ４・奥行きＶ４（図５参照）を有する直方体状の係止片２４となる。
【００３０】
また、係止片２４・２４の位置は、副開孔部１５Ｓ・１５Ｓに対応している。例えば、図４のように、副開孔部１５Ｓが主開孔部１５Ｍの底面１５Ｍａの外縁にて対向して位置していると、係止片２４・２４は、主片２２の底面２２ａにおける外縁にて対向して位置する（ただし、主片２２が主開孔部１５Ｍに嵌り、その嵌った状態にて、係止片２４・２４と副開孔部１５Ｓ・１５Ｓとが対応する）。
【００３１】
その上、係止片２４は、突起片２３の線状方向ＬＬと同方向に延びる線状かつ板状になっていると望ましい。このようになっていると、液晶表示パネル３１が突起片２３に接触した場合にかかる負荷が、係止片２４に効率よく受け止められる。そのため、このような係止片２４を含む突起体２１は、開孔１５に安定して嵌り固定される。
【００３２】
なお、係止片２４の先端には、副開孔部１５Ｓの縁に引っかかる引っかかり端２５が形成されている。そのため、係止片２４が、主開孔部１５Ｍを通じて、副開孔部１５Ｓ貫くように嵌ると、引っかかり端２５が支持面ＳＳの裏側に位置する副開孔部１５Ｓの縁に引っかかる。したがって、引っかかり端２５と副開孔部１５Ｓの縁との接触を解除しない限り、容易に、開孔１５から突起体２１は抜け落ちない。
【００３３】
逆に、係止片２４の有する弾性が利用され、係止片２４が、引っかかり端２５を副開孔部１５Ｓの縁から乖離するように撓めば、開孔１５から突起体２１が外れる。すなわち、突起体２１は、係止片２４を介して、パネルガイドＰＧの本体１１（詳説すると、開孔１５）から脱着可能になっている。
【００３４】
このように、液晶表示パネル３１の外縁に接触可能な突起体２１が、パネルガイドＰＧの本体１１から、脱着可能になっていると、パネルガイドＰＧの本体１１の汎用性が高まる。なぜなら、液晶表示パネル３１のサイズに応じて、突起体２１の突起片２３の位置が異ならなくてはならないとしても、パネルガイドＰＧの本体１１は同一で、突起体２１の形状のみを変えればよいためである。
【００３５】
つまり、液晶表示パネル３１の種類やサイズに応じて、パネルガイドＰＧの本体１１の金型を作り直す必要はなくなる（突起体２１の金型のみを作り直せばよいともいえる）。そのため、パネルガイドＰＧの金型コストの抑制が可能になる。
【００３６】
［その他の実施の形態］
なお、本発明は上記の実施の形態に限定されず、本発明の趣旨を逸脱しない範囲で、種々の変更が可能である。
【００３７】
例えば、突起体２１の係止片２４の個数は、図３および図５に示すように２個に限定されるものではない。例えば、係止片２４の個数は１個であってもよいし、３個以上であってもよい。
【００３８】
また、これら図３および図５に示すように、係止片２４における引っかかり端２５は、副開孔部１５Ｓに進入しやすいようにテーパ状になっているが、これに限定されるものではない。要は、引っかかり端２５は、突起体２１が本体１１の開孔１５に収容される場合に、係止片２４を容易に副開孔部１５Ｓに嵌るようにするとともに、副開孔部１５Ｓに嵌まった係止片２４を容易に抜け落ちないようにする形状であればよい。
【００３９】
また、係止片２４は必ずしも弾性を有していなくてもよい。ただし、係止片２４が弾性を有していると、引っかかり端２５を副開孔部１５Ｓの縁から乖離するように撓めるので、開孔１５から突起体２１を取り外す場合には有用である。
【００４０】
しかし、係止片２４が弾性の有無にかかわらず、開孔１５から突起体２１を取り外すことが容易なものもある。そのような突起体２１と本体１１とを、図６・図７を用いて説明する。図６は、図５とは異なる突起体２１を示す斜視図であり、図７は図６に示す突起体２１が嵌る開孔１５を含む本体１１（第１パネルガイド部ＰＧ１に含まれる本体１１）を示す平面図である。
【００４１】
図６に示される突起体２１は、図５に示す突起体２１同様、主片２２、突起片２３、および係止片２４を含む。ただし、係止片２４の個数および形状が異なる。具体的には、係止片２４は、主片２２の底面２２ａの四隅付近から突出しており（すなわち４個設けられ）、引っかかり端２５は、テーパ状ではなく、係止片２４の側面から外側に向けて突出した直方体である。
【００４２】
図７に示される開孔１５は、図４に示す開孔１５同様に、主開孔部１５Ｍおよび副開孔部１５Ｓを含む。ただし、主開孔部１５Ｍは、主片２２の高さＴ２・幅Ｕ２（図６参照）と同程度の深さＴ５・幅Ｕ５（図７参照、ただしＴ５は不図示）を有するものの、主片２２の奥行きＶ２よりも長い奥行きＶ５を有する。
【００４３】
また、副開孔部１５Ｓの個数、位置、および形状も、図４に示す開孔１５における副開孔部１５Ｓと異なる。具体的には、副開孔部１５Ｓは、４個であり、主開孔部１５Ｍの縁であるとともに主開孔部１５Ｍの短手両端に相当する２つの隅と、主開孔部１５Ｍの縁であるとともに主開孔部１５Ｍの長手の中心付近に相当する２つの箇所とに位置する。
【００４４】
ただし、これら副開孔部１５Ｓの位置は、図４の副開孔部１５Ｓ同様、係止片２４の位置に対応している。なお、副開孔部１５Ｓの位置する主開孔部１５Ｍの短手両端の側を根元側、副開孔部１５Ｓの位置しない主開孔部１５Ｍの短手両端の側をスペース側（根元側の対向側）と称する。
【００４５】
また、副開孔部１５Ｓは、引っかかり端２５の幅Ｕ６・奥行きＶ６（図６参照）と同程度の幅Ｕ７・奥行きＶ７（図７参照）を備える主部分１５Ｓｍと、係止片２４の幅Ｕ４と同程度の幅Ｕ９のスリット１５Ｓｔと、を含む。なお、スリット１５Ｓｔは、主部分１５Ｓｍの内側（主開孔部１５Ｍの短手方向ＳＤに沿って向かい合う側）で、かつスペース側にもっと近い主部分１５Ｓｍの隅から、主開孔部１５Ｍの長手方向ＬＤと同方向に（根元側からスペース側に沿って）延びている。
【００４６】
そして、以上のような副開孔部１５Ｓの主部分１５Ｓｍに対して、突起体２１の係止片２４が嵌る。すると、係止片２４の高さＴ４と副開孔部１５Ｓの深さとは同程度のため、係止片２４の先端に位置する引っかかり端２５が、副開孔部１５Ｓの主部分１５Ｓｍを貫いて主開孔部１５Ｍの底面１５Ｍａの裏側に飛び出る。
【００４７】
そして、この状態にて、突起体２１がスペース側に移動（スライド）すると、係止片２４がスリット１５Ｓｔに嵌る。すると、引っかかり端２５と、スリット１５Ｓｔの縁（底面１５Ｍａの裏側に位置するスリット１５Ｓｔの縁）とが接触するようになり、それに起因して、突起体２１が開孔１５から乖離しなくなる。
【００４８】
すなわち、引っかかり端２５とスリット１５Ｓｔの縁との接触が解除されない限り、容易に、開孔１５から突起体２１は抜け落ちない。逆に、突起体２１が根元側に移動することで、係止片２４がスリット１５Ｓｔから外れると、引っかかり端２５もスリット１５Ｓｔから外れて主部分１５Ｓｍに位置することになり、開孔１５から突起体２１が外れる。
【００４９】
つまり、図６および図７に示すような突起体２１および本体１１であっても、図５および図４に示すような突起体２１および本体１１同様、液晶表示パネル３１の外縁に接触可能な突起体２１が、パネルガイドＰＧの本体から、脱着可能になる。
【００５０】
そのため、パネルガイドＰＧの本体１１は高い汎用性を有し、多種多様の液晶表示パネル３１に採用可能となる。つまり、上述同様、液晶表示パネル３１の種類やサイズに応じて、パネルガイドＰＧにおける本体１１の金型を作り直す必要はなくなる（突起体２１の金型のみを作り直せばよいともいえる）。
【００５１】
なお、以上のようなパネルガイドＰＧでの突起体２１および開孔１５には、液晶表示パネル３１の形状に応じて好ましい位置がある。例えば、図８のように、矩形状の液晶表示パネル３１の場合、液晶表示パネル３１の長手と短手とに接触可能な場所に、突起体２１および開孔１５は位置すればよい。このようになっていれば、突起体２１が、液晶表示パネル３１の長手方向および短手方向の移動を制止しやすいためである。
【００５２】
さらに望ましくは、図８に示すように、液晶表示パネル３１の長手方向における一方向Ｌ１および短手方向における一方向Ｓ１の移動を制止する突起体２１・２１と、液晶表示パネル３１の長手方向における他方向Ｌ２（一方向Ｌ１の逆方向）および短手方向における他方向Ｓ２（一方向の逆方向Ｓ１）の移動を制止する突起体２１・２１と、がパネルガイドＰＧに形成されているとよい。
【００５３】
すなわち、液晶表示パネル３１の中心付近と対向する第１パネルガイドＰＧの隅付近に、突起体２１・・・（２１ａ・２１ｂ・２１ｃ・２１ｄ）が位置すればよい。このようになっていると、液晶表示パネル３１の面内方向の移動（詳説すると長手方向および短手方向の移動）を完全制止可能になるためである。
【００５４】
また、金型加工のコスト削減の観点からだと、液晶表示パネル３１の長手および短手の縁に重畳する本体１１を含む第１パネルガイド部ＰＧ１に、突起体２１・２１が位置すればよい。このようになっていれば、第２パネルガイドＰＧには、突起体２１および開孔１５が形成されなくてもよいので、その第２パネルガイドＰＧの金型が簡易なものになり、安価となる。
【００５５】
また、図９に示すように、パネルガイドＰＧは４分割可能になっているが、その分割個数や分割機構は特に限定されるものではない。また、分割される第１パネルガイド部ＰＧ１および第２パネルガイド部ＰＧ２は、パネルガイドＰＧとして接続可能にもなっているが、この接続機構も特に限定されるものではない。また、パネルガイドＰＧは脱着可能な突起体２１を含めばよく、本体１１が分割可能な機構になっていなくてもよい。
【図面の簡単な説明】
【００５６】
【図１】は、図８に示すパネルガイドに含まれる第１パネルガイド部を拡大した斜視図である。
【図２】は、図８に示すパネルガイドに含まれる第２パネルガイド部を拡大した斜視図である。
【図３】は、図１のＡ−Ａ’線矢視断面図である。
【図４】は、第１パネルガイドに含まれる本体の平面図である。
【図５】は、第１パネルガイドに含まれる突起体の斜視図である。
【図６】は、図５の突起体の他の一例を示す斜視図である。
【図７】は、図６に示される突起体に対応する第１パネルガイド部の本体を示す平面図である。
【図８】は、液晶表示パネルと、その液晶表示パネルを支持するパネルガイドを示す斜視図である。
【図９】は、図８のパネルガイドを分割させた状態を示す斜視図である。
【図１０】は、従来のパネルガイドを示す斜視図である。
【符号の説明】
【００５７】
ＰＧ      パネルガイド
ＰＧ１    第１パネルガイド部
ＰＧ２    第２パネルガイド部
１１      本体
１２      支持板
１３      垂下板
１５      開孔
１５Ｍ    主開孔部
１５Ｍａ  主開孔部の底面
１５Ｓ    副開孔部
１５Ｓｍ  主部分
１５Ｓｔ  スリット
２１      突起体
２２      主片
２２ａ    主片の底面
２２ｂ    主片の天面
２３      突起片
２４      係止片
２５      引っかかり端
４１      液晶表示パネル
ＬＤ      主開孔部の長手方向
ＳＤ      主開孔部の短手方向
ＬＬ      突起片の長手方向
Ｌ１      液晶表示パネルの長手方向の一方向
Ｌ２      液晶表示パネルの長手方向の他方向
Ｓ１      液晶表示パネルの短手方向の一方向
Ｓ２      液晶表示パネルの短手方向の他方向
【図１】
2009031480.tif 000003
【図２】
2009031480.tif 000004
【図３】
2009031480.tif 000005
【図４】
2009031480.tif 000006
【図５】
2009031480.tif 000007
【図６】
2009031480.tif 000008
【図７】
2009031480.tif 000009
【図８】
2009031480.tif 000010
【図９】
2009031480.tif 000011
【図１０】
2009031480.tif 000012